(57)【要約】【課題】蛇行幅及びスライド幅が大きく、またボディが潜行することなくウォブンロールするといった従来にないスイムアクションを行うことにより、対象魚へのアピールを良好なものとすることができる、新規なスイムアクションを改善したルアーを開発することを技術課題とした。【解決手段】小魚を模して形成したボディ２の頭部付近に接続されるラインＬを引くことにより、小魚の動きを模した動きをするルアーにおいて、前記ボディ２の頭部付近にキール６を具えたことを特徴として成り、キール６の作用によって、ルアー１のリトリーブ時の蛇行幅及びトウィッチ時のスライド幅を大きくすることができる。【選択図】      図１
2005021011.tif 000002
【特許請求の範囲】
【請求項１】
小魚を模して形成したボディの頭部付近に接続されるラインを引くことにより、小魚の動きを模した動きをするルアーにおいて、前記ボディの頭部付近にキールを具えたことを特徴とするスイムアクションを改善したルアー。
【請求項２】
前記ボディの尾鰭部付近に抵抗板を具えたことを特徴とする請求項１記載のスイムアクションを改善したルアー。
【請求項３】
前記キールは顎下部、腹鰭部または頭頂部のいずれか一カ所または複数個所に具えられたものであることを特徴とする請求項１または２記載のスイムアクションを改善したルアー。
【請求項４】
前記ボディは臀鰭部付近において分断されたものであることを特徴とする請求項１、２または３記載のスイムアクションを改善したルアー。
【発明の詳細な説明】
【０００１】
【発明の属する技術分野】
本発明はルアーに関するものであって、特に従来のルアーとは異なるスイムアクションを行うルアーに係るものである。
【０００２】
【従来の技術】
ブラックバス、シーバス等の魚を対象としたルアーフィッシングに用いられるルアーの一種に、その形状を小魚に模したプラグ・ミノーと呼ばれるものがある。この種のルアー１′は一般的に、図８に示すようにリップと呼ばれる抵抗板５′を顎下部に具えるものであり、図８（ｂ）に示すように平面視で左右に揺れ動くウォブリングと、図８（ｃ）に示すようにボディ２′の中心軸を軸として左右に回転するローリングとの二種類のスイムアクションを行うものである。
【０００３】
また図９に示すように、前記抵抗板５′を持たないリップレスミノーあるいはシンキングペンシルといわれるルアー１”は、ステディリトリーブ（単調にリールを巻く動作）時には図９（ｂ）に示すようにボディ２”は自然に左右に向きを変え、ある一定幅で規則的に蛇行するスイムアクションを行うものである。更に水流の変化による抵抗を受けたとき、あるいはアングラーがロッドワーク（トゥイッチ）を加えることによって意図的な抵抗を受けたときには、図９（ｂ）中、仮想線で示すように、規則的な蛇行幅よりも大きく移動（スライド）する。
このようなリップレスミノーの動きは、前記ウォブリングやローリングを行うルアーに全く反応しない対象魚が、リップレスミノー独特のスイムアクションに反応する場合があること等から、近時、注目を集めている。そこで前記蛇行幅及びスライド幅を大きくすることが試みられているが、従来のルアーではボディ形状、ウェイト配分またはラインアイを調整することに留まっており、蛇行幅及びスライド幅を大きくすることには限界があった。
【０００４】
また前記図８に示した抵抗板５′を具えたルアー１′は、抵抗板５′の作用によってリトリーブを開始すると同時に潜行するものであり、水深の浅い釣り場には不向きであった。しかしながらルアー１′に対してウォブリング及びローリングを行わせるためには抵抗板５′は不可欠であり、このような二律背反した問題を抱えながらも、潜行することなく対象魚へアピールするスイムアクションを行うルアーの開発が望まれていた。
【０００５】
【開発を試みた技術課題】
本発明はこのような背景を認識して成されたものであり、蛇行幅及びスライド幅が大きく、またボディが潜行することなくウォブンロールするといった従来にないスイムアクションを行うことにより、対象魚へのアピールを良好なものとすることができる、新規なスイムアクションを改善したルアーを開発することを技術課題としたものである。
【０００６】
【課題を解決するための手段】
すなわち請求項１記載のスイムアクションを改善したルアーは、小魚を模して形成したボディの頭部付近に接続されるラインを引くことにより、小魚の動きを模した動きをするルアーにおいて、前記ボディの頭部付近にキールを具えたことを特徴として成るものである。
この発明によれば、キールの作用によって、ルアーのリトリーブ時の蛇行幅及びトウィッチ時のスライド幅を大きくすることができる。
【０００７】
また請求項２記載のスイムアクションを改善したルアーは、前記要件に加え、前記ボディの尾鰭部付近に抵抗板を具えたことを特徴として成るものである。
この発明によれば、ボディには、ラインとボディとの接続個所を支点とし、尾鰭部付近を力点として力が作用するため、ボディはウォブンロールアクションを行うものであり、この際、頭部付近に具えたキールの作用によってボディが回転してしまうのを防ぐことができる。
【０００８】
更にまた請求項３記載のスイムアクションを改善したルアーは、前記要件に加え、前記キールは顎下部、腹鰭部または頭頂部のいずれか一カ所または複数個所に具えられたものであることを特徴として成るものである。
この発明によれば、キールの作用を頭部付近に集中させ、ボディのウォブンロールアクションを必要以上に妨げてしまうことがない。
【０００９】
更にまた請求項４記載のスイムアクションを改善したルアーは、前記要件に加え、前記ボディは臀鰭部付近において分断されたものであることを特徴として成るものである。
この発明によれば、抵抗板によって左右に受ける力を尾鰭部付近に集中させることができ、頭部付近を過剰にウォブリングさせてしまうことがない。
そしてこれら各請求項記載の発明の構成を手段として前記課題の解決が図られる。
【００１０】
【発明の実施の形態】
以下本発明のスイムアクションを改善したルアーについて、図示の実施の形態に基づいて具体的に説明するものであり、図１〜３に示す抵抗板５を具えないタイプのルアー１と、図４〜７に示す抵抗板５を具えたルアー１とに分けて説明を行う。
【００１１】
【抵抗板を具えないタイプのルアー】
図１中符号１で示すものが抵抗板５を具えない、リップレスミノーあるいはシンキングペンシルといわれるタイプのルアー１であり、このものは魚体を模して形成したボディ２に対し、その頭部付近にラインアイ３を具え、腹鰭部または胸鰭部と尾鰭部との二カ所にフックアイ４を具え、更に頭部付近にキール６を具えて成るものである。
そして前記フックアイ４にはリング７を介在させてフック８が具えられ、前記ラインアイ３にスイベルＳを介在させて接続されたラインＬが引かれることにより、ルアー１は現実の小魚のような動きをするものである。
以下これらルアー１を構成する諸部材について詳しく説明する。
【００１２】
まず前記ボディ２は、合成樹脂あるいは木材等により魚体を模して形成され、更に適宜の塗装等の装飾が施された小魚形状の中空部材である。なお詳細な説明は省略するが、前記ボディ２の内部空間は、ルアー１に浮力を与えるための空気室として機能する他、遠投を可能にする可動錘の収容空間等としても機能するものである。
また前記ラインアイ３及びフックアイ４は環状部を具えた金属製の部材であり、前記ボディ２に対してその一部を埋設した状態で固定されるものである。
【００１３】
次に前記キール６について説明すると、このものはルアー１が蛇行する際の蛇行幅及びスライド幅を大きくするための板部材である。
この実施の形態では図１に示すように、頭頂部のみにキール６を具えるようにしたが、図２（ａ）に示すように顎下部または腹鰭部のみに、または図２（ｂ）に示すように頭頂部と顎下部とにキール６を具えるようにしてもよい。またキール６のエッジ部分には適宜テーパーを付けるようにしてもよい。
【００１４】
そして図１に示すように、前記フックアイ４に対してリング７を装着し、このリング７に対して一例として三本針のフック８を装着することにより、ルアー１が構成されるものである。
また実際の使用時にはラインアイ３にラインＬが結び付けられるが、ラインＬの撚れを防ぐために撚り戻しを一体的に具えたスイベルＳを介在させるのが好ましく、これによりルアー１の交換も容易に行うことができる。
【００１５】
本発明のスイムアクションを改善したルアー１の一例である抵抗板５を具えないタイプのルアー１は以上述べたような具体的な構成を有するものであり、以下このものの使用態様について説明する。
アングラーは、まず事前の準備として図示しないロッドにリールを装着し、ラインＬの先端にスイベルＳを結び付けるとともに、このスイベルＳをラインアイ３に装着する。そしてアングラーは、狙ったポイントにルアー１をキャスティングし、リールを巻いて（リトリーブして）ルアー１を進行させるものであり、このときステディリトリーブ（単調にリールを巻く動作）時には図３中実線で示すようにルアー１は自然に左右に向きを変え、ある一定幅で規則的に蛇行するスイムアクションを行うものである。このとき、本発明のルアー１にあっては、キール６の作用によって水流が整流されるため、従来のルアー１”の蛇行幅の１．５倍程度と大きな蛇行幅を持って進行することとなる。
またルアー１が水流の変化による抵抗を受けたとき、あるいはアングラーがトゥイッチ（小刻みにロッドをあおる動作）を行うことによって意図的な抵抗を受けたときには、図３（ｂ）中、仮想線で示すように、規則的な蛇行幅よりも大きく移動（スライド）する。このとき、本発明のルアー１にあっては、キール６の作用によって水流が整流されるため、従来のルアー１”のスライド幅の１．５倍程度と大きなスライド幅を持って進行することとなる。
【００１６】
【抵抗板を具えたタイプのルアー】
次に抵抗板５を具えたタイプのルアー１について説明するものであり、ここでは上述した抵抗板５を具えないタイプのルアー１の説明と重複する個所についての説明は省略する。
図４中符号１で示すものが抵抗板５を具えたタイプのルアー１であり、このものは魚体を模して形成したボディ２に対し、その頭部付近にラインアイ３を具え、腹鰭部または胸鰭部と尾鰭部との二カ所にフックアイ４を具え、更に尾鰭部付近に抵抗板５を具え、更にまた頭部付近にキール６を具えて成るものである。
そして前記フックアイ４にはリング７を介在させてフック８が具えられ、前記ラインアイ３にスイベルＳを介在させて接続されたラインＬが引かれることにより、ルアー１は現実の小魚のような動きをするものである。
【００１７】
ここで前記抵抗板５について説明すると、このものはルアー１が進行する際にボディ２に受ける水流の一部を乱流させ、図６に示すようにボディ２をウォブンロール（ウォブリングとローリングとの双方を行う動作）させるための部材である。
この実施の形態では抵抗板５の形状を、図５（ａ）に示すようにほぼ台形状の斜辺の一部に切欠５ａを形成したものとした。更に抵抗板５の形状としては図５（ｂ）に示すような六角形等の多角形や、図５（ｃ）に示すような半楕円形をすることもできる。
そして前記抵抗板５は、ボディ２の尾鰭付近に対して、後方に向けて下降するような斜面を形成するように取り付けられる。もちろんこの抵抗板５はボディ２と一体的に成形するようにしてもよい。
【００１８】
なおこの実施の形態では、前記キール６を頭頂部と腹鰭部との双方に具えるようにしたが、頭頂部のみに、あるいは顎下部または腹鰭部のみに、更には頭頂部と顎下部との双方に具えるようにしてもよい。
【００１９】
本発明のスイムアクションを改善したルアー１の一例である抵抗板５を具えたタイプのルアー１は以上述べたような具体的な構成を有するものであり、以下このものの使用態様について説明する。
アングラーは、まず事前の準備として図示しないロッドにリールを装着し、ラインＬの先端にスイベルＳを結び付けるとともに、このスイベルＳをラインアイ３に装着する。そしてアングラーは、狙ったポイントにルアー１をキャスティングし、リールを巻いて（リトリーブして）ルアー１を進行させるものであり、リトリーブの停止や、ジャーク（ロッドを使って鋭くルアー１を引く動作）、トゥイッチ（小刻みにロッドをあおる動作）を行ってルアー１に小魚に近い動きを与える。
【００２０】
この際、ボディ２に対しては、ラインアイ３を支点とし、尾鰭部付近に具えられた抵抗板５を力点として力が作用するため、ボディ２は図６に示すようにウォブンロール（ウォブリングとローリングとの双方を行う動き）する。
またこのとき、抵抗板５によってボディ２を潜行させる力が働かないかあるいは微小であるため、ルアー１は潜行することなくウォブンロールするものである。
更にこのとき、頭部付近に具えたキール６の作用によってボディ２の回転が防止され、且つキール６の作用は頭部付近に集中するため、ボディ２のウォブリングを必要以上に妨げてしまうことがない。
またこの実施の形態では、ボディ２の頭頂部と腹鰭部との双方にキール６を設けたので、ボディ２の回転はより効果的に抑えられるものである。
因みにボディ２に対して前記キール６を具えることなく、抵抗板５のみを具えた場合には、一定以上の速さでリトリーブしたときに、ボディ２は長手方向の軸を中心として激しく回転してしまうことが確認されているが、キール６を具えることによりこのような回転を防止できるものである。
【００２１】
【他の実施の形態】
本発明は上述した実施の形態を基本となる実施の形態とするものであるが、本発明の技術的思想に基づいて以下に示すような実施の形態を採ることもできる。すなわち上述した抵抗板５を具えたタイプのルアー１にあっては、図７に示すように、ボディ２を臀鰭付近において前側片２Ａと後側片２Ｂとに分断するとともに、前側片２Ａに対して後側片２Ｂを可動自在に接続した、いわゆるジョイントタイプのものとすることができる。そしてこの場合には、抵抗板５によって受ける力は前側片２Ａにはほとんど伝わらず、後側片２Ｂのみが前側片２Ａとの接続個所を支点としてウォブリングすることとなる。このためルアー１の動きを、よりいっそう現実の小魚の動きに近いものとすることができるものである。
【００２２】
【発明の効果】
本発明によれば、まず抵抗板５を具えないタイプのルアー１にあっては、従来のルアーよりも蛇行幅及びスライド幅を大きくすることができる。
また抵抗板５を具えたタイプのルアー１にあっては、ボディ２には、ラインＬとボディ２との接続個所（ラインアイ３）を支点とし、尾鰭部付近を力点として力が作用するため、ボディ２はウォブンロールアクションを行うものであり、この際、頭部付近に具えたキール６の作用によってボディ２が回転してしまうのを防ぐことができる。また前記キール６を顎下部、腹鰭部または頭頂部のいずれか一カ所または複数個所に具えることにより、キール６の作用を頭部付近に集中させ、ボディ２のウォブンロールアクションを必要以上に妨げてしまうことがない。
更にまた前記ボディ２を臀鰭部付近において分断されたものとした場合には、後側片２Ｂのみが前側片２Ａとの接続個所を支点としてウォブリングすることとなるため、ルアー１の動きをよりいっそう現実の小魚の動きに近いものとすることができるものである。
そしてこの結果、アングラーによるルアー１のスイムアクション演出の幅が広がり、対象魚へのアピールが良好に行われて良好な釣果が期待できるものであり、ルアー１の商品価値を高めることができる。
【図面の簡単な説明】
【図１】本発明のルアーの一例である抵抗板を具えないタイプのルアーを示す側面図、平面図及び底面図である。
【図２】キールの種々の取り付け態様を示す側面図である。
【図３】抵抗板を具えないタイプのルアーの軌跡を示す平面図である。
【図４】本発明のルアーの一例である抵抗板を具えたタイプのルアーを示す側面図、平面図及び底面図である。
【図５】種々の形状の抵抗板を示す正面図である。
【図６】抵抗板を具えたタイプのルアーの動きを示す平面図及び正面図である。
【図７】他の実施の形態で述べたルアーを示す側面図、平面図及び正面図である。
【図８】抵抗板を顎下部分に具えた従来のルアーを示す側面図並びにこのルアーの動きを示す平面図及び正面図である。
【図９】従来のリップレスミノーの側面図並びにこのルアーの軌跡を示す平面図である。
【符号の説明】
１    ルアー
２    ボディ
２Ａ  前側片
２Ｂ  後側片
３    ラインアイ
４    フックアイ
５    抵抗板
５ａ  切欠
６    キール
７    リング
８    フック
Ｌ    ライン
Ｓ    スイベル
【図１】
2005021011.tif 000003
【図２】
2005021011.tif 000004
【図３】
2005021011.tif 000005
【図４】
2005021011.tif 000006
【図５】
2005021011.tif 000007
【図６】
2005021011.tif 000008
【図７】
2005021011.tif 000009
【図８】
2005021011.tif 000010
【図９】
2005021011.tif 000011